(57)【要約】【課題】運搬時や輸送時、保管時において、花びらが損傷したり汚染したりすることのないプリザーブドフラワーに最適なプリザーブドフラワー用包装容器を提供する。【解決手段】プリザーブドフラワーＦを収容するプラスチック製の包装容器であって、上面を拡大開口部１０とする。下方部を縮径して窄めた容器本体１の側壁３の上下方向に、複数個の段部４，５，６を設ける。底部２を円弧状凸起部８に形成し、中央部に小孔９を穿設する。【選択図】図３
0003136122.tif 000002
【実用新案登録請求の範囲】
【請求項１】
プリザーブドフラワーを収容するプラスチック製の包装容器であって、上面を拡大開口部とし下方部を縮径して窄めた容器本体の側壁の上下方向に、複数個の段部を設けると共に、円弧状凸起部に形成した底部に小孔を穿設したことを特徴とするプリザーブドフラワー用包装容器。
【請求項２】
前記容器本体の側壁の上下方向に設けた段部は、上方部に設けた上段部と、中央部よりやや下方部に設けた中段部と、下方部に設けた下段部から形成されていることを特徴とする請求項１に記載のプリザーブドフラワー用包装容器。
【請求項３】
前記側壁の上端部には外方に突出するフランジ部を設け、その上端から上段部までは垂直面に、上段部から中段部までは下方に向かって縮径する緩斜面に、中段部から下段部までは急斜面に形成されていることを特徴とする請求項１又は２に記載のプリザーブドフラワー用包装容器。
【考案の詳細な説明】
【技術分野】
【０００１】
本考案は、生花に特殊な加工を施すことにより、長期間に亘って生花のようなみずみずしさや柔らかさ、ボリュームを有するプリザーブドフラワーを収容するための包装容器に関するものであり、さらに詳しくは、運搬時や輸送時、保管時などに使用して花びらを損傷しないようにするプリザーブドフラワー用包装容器に関するものである。
【背景技術】
【０００２】
従来、生花は一般的に切り取った花を花瓶に生けて机や置台に載せて鑑賞されるものであるが、この生花の場合、花を枯らさないようにするために絶えず水を与えなければならず、また、水を与えたとしても、長い期間に亘って鑑賞できるものではなかった。
このように鑑賞期間がきわめて短い欠点を解消するものとして、布で作成する造花、生花を乾燥させて作成するドライフラワー、真空凍結乾燥技術を用い生花を加工して作成するフリーズドライフラワーなど知られている。これらの花は、いずれも生花よりも長い期間に亘って鑑賞できるとしても、外観、色彩などが自然の花のような美しさにはならないという問題点があった。
ところが、近年、生花にプリザーブド加工という特殊な加工を施し、生花のみずみずしさや柔らかさ、ボリュームなど生花のような状態で数ヶ月保存が可能なプリザーブドフラワーが開発され、室内を飾ったり、あるいは誕生日などの各種のお祝いごと、病気のお見舞いなどの幅広い用途のフラワーギフトとして注目されている。
このプリザーブドフラワーは、生花の細胞組織内の樹液を抜き取った後、保存液を浸透させて、組織水を保存液によって置換する防腐処理を施し、必要に応じて染色を行って、生花と同様の外観を長期間保持するものである（例えば、特許文献１）。
しかしながら、プリザーブドフラワーは、造花と違い生花を用いていることから、非常にデリケートであり、花びらに触れると摩擦で損傷することがあり、ダメージは生花のままの花より受けやすく、運搬時や輸送時、保管時などには細心の注意を払って取り扱わなければならない。また、湿気に極めて弱く、そのままの状態にしておくと、湿気の多い季節や湿気の多い場所では花びらが透けたようになり商品価値が低下するばかりでなく、埃などが付着すると色あせの原因になるといった問題がある。
そのため、従来のプリザーブドフラワーは、運搬時や輸送時、保管時などには包装用紙箱の中に緩衝材を詰め込んで、その中に直接プリザーブドフラワーを埋没するように収納することが一般的に行なわれている。
【特許文献１】特表平０４−５０５７６６号公報
【考案の開示】
【考案が解決しようとする課題】
【０００３】
しかしながら、上記の収納方法では、収める時にプリザーブドフラワーを傷つけてしまうことが多く、また、運搬時や輸送時などで包装用紙箱に大きな衝撃力が加わると、たとえ緩衝材があったとしても花びらが傷つくという問題がある。
そこで、本考案は上記の課題に鑑みてなされたもので、運搬時や輸送時、保管時において、花びらが損傷したり汚染したりすることのないプリザーブドフラワーに最適なプリザーブドフラワー用包装容器を提供することを目的とする。
【課題を解決するための手段】
【０００４】
上記の課題を解決し、その目的を達成する手段として、本考案は、プリザーブドフラワーを収容するプラスチック製の包装容器であって、上面を拡大開口部とし下方部を縮径して窄めた容器本体の側壁の上下方向に、複数個の段部を形成すると共に、円弧状凸起部に形成した底部の中央部に小孔を穿設したことを特徴とするプリザーブドフラワー用包装容器を開発し、採用した。
また、上記のプリザーブドフラワー用包装容器において、前記容器本体の側壁の上下方向に設けた段部は、上方部に設けた上段部と、中央部よりやや下方部に設けた中段部と、下方部に設けた下段部から形成されていることを特徴とするプリザーブドフラワー用包装容器、および前記側壁の上端部には外方に突出するフランジ部を設け、その上端から上段部までは垂直面に、上段部から中段部までは下方に向かって縮径する緩斜面に、中段部から下段部までは急斜面に形成されていることを特徴とするプリザーブドフラワー用包装容器を開発し、採用した。
【考案の効果】
【０００５】
本考案によれば、プリザーブドフラワーがプラスチック製の包装容器本体に収納されるから、運搬時や輸送時、保管時などにおいて、花びらが直接他物と接触することがなく損傷されることがない。また、プリザーブドフラワーが包装容器本体に覆われているから、埃などの付着を防止することができ汚染や色あせもなくなる。さらに、包装容器本体によって外部からの湿気を遮断するから、プリザーブドフラワーの弱点である吸湿による花びらが透明になるのを防ぐことができ、生花のようなみずみずしさや柔らかさをより長期間保持することが叶となる。できるものである。
また、包装容器本体は、上面を拡大開口部とし下方部を縮径して窄めた容器本体の側壁の上下方向に、複数個の段部を形成してあるから、プリザーブドフラワーの形態を崩すことなくスムーズに収容でき、収容されたプリザーブドフラワーの一部が自然に側壁に当接して保持されることから妄動することがなく花びらを傷めることがない。
さらに、円弧状凸起部に形成した底部中央部の小孔に茎の先端部を挿通でき、小孔から突出した茎にピンをさすことによりプリザーブドフラワーが固定されると共に、先端部を窄ませた底部の円弧状凸起部でプリザーブドフラワーが受け止められるから、包装用容器本体内で安定した状態で収容できる。
【考案を実施するための最良の形態】
【０００６】
以下に、本考案の実施形態を添付図面に基づいて説明すると、１は透明または半透明のプラスチック製の包装容器本体であり、この包装容器本体１は平面から視て円形の底部２を有し、上方を開放する略円筒形状で下方になるにつれて次第に縮径して窄ませたカップ状に形成してある。
この包装容器本体１の側壁３の上下方向の上方部の位置と、中央部よりやや下方の位置と、下方部の位置とにそれぞれ上段部４、中段部５、下段部６を形成してあり、側壁３の上端を外方に水平状に屈曲して突出するフランジ部７を設けてある。そのフランジ部７から上段部４までの側壁を垂直面３ａに、上段部４から中段部５までの側壁を下方になるにつれて縮径して窄ませた緩傾斜面３ｂに、中段部５から下段部６までの側壁を下方になるにつれて縮径して窄ませた急傾斜面３ｃに形成すると共に、包装容器本体１の内方に凹陥する凹陥部３ｄを形成してある。
８は下段部６から下方に突出する底部２を構成する円弧状凸起部であり、その頂部中心部に小孔９を穿設してある。
上記のように構成した実施の形態のプリザーブドフラワー用包装容器の使用状態を作用、効果と共に説明すると、図３に示すように、包装容器本体１の上面の拡大開口部１０からプリザーブドフラワーＦの先端の方から入れていき茎Ｓの先部を底部２の小孔９に挿通し、小孔９から飛び出た茎Ｓにピン１１を横方向から挿通して茎Ｓを固定できプリザーブドフラワーＦを垂直に立設させる。
包装容器本体１に収容されたプリザーブドフラワーＦは、下方になるにつれて次第に縮
径して窄ませた側壁３と、その側壁３の上下方向に形成された上段部４と、中段部５と、下段部６の存在が相俟って、プリザーブドフラワーＦの形態を崩すことなく、収容されると共に、プリザーブドフラワーＦの一部が自然に側壁３に当接して保持され、安定した状態で収容される。
このようにして、包装容器本体１内に収容されたプリザーブドフラワーＦは、例えば、図４に示すように、組み立て式包装箱１２の上げ底板１３に形成した孔１４に包装容器本体１を嵌合して収納される。この時、包装容器本体１の上端にフランジ部７を設けてあるから、そのフランジ部７を持って嵌合できるので嵌合しやすく、取り出すときもフランジ部７を持って容易に取り出せることができ、プリザーブドフラワーＦに触れることがないので傷めることがない。
上記のようにして、包装容器本体１内に収容されたプリザーブドフラワーＦは、組み立て式包装箱１２内に詰められて運搬や輸送されることになり、包装箱１２に衝撃が加わったとしても、プリザーブドフラワーＦは何等損傷することがなく、また、梅雨の時期など湿気の多い時においても、湿気を遮断して生花のようなみずみずしさや柔らかさを数ヶ月間保持することができるものである。
以上、本考案の主要な実施の形態の例について説明したが、本考案は上記実施の形態に限定されるものではなく、考案の目的を達成でき、かつ考案の要旨を逸脱しない範囲内で、種々の設計変更が可能であるのは勿論のことである。
【産業上の利用可能性】
【０００７】
本考案は、各種のお祝い、お見舞いなどの幅広い用途のフラワーギフトの包装容器として用いることができる。
【図面の簡単な説明】
【０００８】
【図１】本考案の正面図である。
【図２】図１の正面中央縦断面図である。
【図３】プリザーブドフラワーを収容した状態を示す断面図である。
【図４】包装箱に詰めた状態の断面図である。
【符号の説明】
【０００９】
１  包装容器本体      
２  底部    
３  側壁  
４  上段部    
５  中段部  
６  下段部
７  フランジ部
８  円弧状凸起部
９  小孔
Ｆ  プリザーブドフラワー
【図１】
0003136122.tif 000003
【図２】
0003136122.tif 000004
【図３】
0003136122.tif 000005
【図４】
0003136122.tif 000006